(57)【要約】  サブアセンブリ１００は、シール部材１６に接続されるエンドキャップ１４ａを含む。エンドキャップ１４ａは、主部５２、主部５２の第１端に接続される外周リップ５４、及び主部５２の第２端に接続される内周リップ５６を含む。エンドキャップ１４ａの内周リップ５６は、主部５２の上面５８から離れて、且つそれを越えて延在する上部５６ａ、及び主部５２の底面６０から離れて、且つそれを越えて延在する下部５６ｂを含む。シール部材１６は、主部７２、及びシール部材１６の主部７２に接続される円周リップ７４を含む。シール部材１６の主部７２は、上面７６及び底面７８を含む。シール部材１６の主部７２の上面７６は、凹部８６を含む。エンドキャップ１４ａの内周リップ５６によって形成される下部５６ｂは、凹部８６内に配置される。【選択図】図１Ａ
2014522763.tif 000002
【特許請求の範囲】
【請求項１】
主部と、
前記主部の第１の端に連結される外周リップと、
前記主部の第２の端に連結される内周リップと、を含み、
前記エンドキャップの前記内周リップが、前記主部の上面から離れて、且つそれを越えて延びる上部と、前記主部の底面から離れて、且つそれを越えて延びる下部と、を含む、エンドキャップと、
前記エンドキャップに連結されるシール部材であって、
主部と、
前記シール部材の前記主部に連結される円周リップと、を含み、
前記シール部材の前記主部が、上面及び底面を含み、前記シール部材の前記主部の上面が、凹部を含み、前記エンドキャップの前記内周リップによって形成される前記下部が、前記凹部内に配置される、シール部材と、
を備えることを特徴とするフィルタアセンブリのサブアセンブリ。
【請求項２】
前記シール部材を前記エンドキャップに連結するために、金型ツールを利用する前に、前記エンドキャップを前記金型ツール構成要素の上に位置付けするための手段を更に備える、請求項１に記載のサブアセンブリ。
【請求項３】
前記手段が、前記金型ツール構成要素の金型表面に形成される溝と整合する位置決めリブを提供する、前記内周リップの前記上部を含む、請求項２に記載のサブアセンブリ。
【請求項４】
前記シール部材の前記主部の前記上面が、
前記第１又は上部のエンドキャップにおける前記主部の前記底面、及び前記外周リップの内面に隣接して配置される、第１の部分と、
前記第１の部分に直接連結され、且つ前記第１の部分から離れて延び、前記エンドキャップの前記底面のどこにも隣接して配置されない、第２の部分と、を含む、請求項１に記載のサブアセンブリ。
【請求項５】
前記シール部材の前記円周リップが、
外面と、
内面と、を含み、前記シール部材の前記円周リップの前記内面が、前記シール部材を通って延びる通路を形成する、請求項１に記載のサブアセンブリ。
【請求項６】
前記シール部材の前記円周リップの前記内面が、
第１の半径方向表面部分と、
第２の半径方向表面部分と、
前記第１の半径方向表面部分を第２の半径方向表面部分に連結する軸方向レッジ表面部分と、を含み、前記第１の半径方向表面部分が、前記シール部材を通って延びる前記通路を形成して、第１の直径を含み、前記第２の半径方向表面部分が、前記シール部材を通って延びる前記通路を形成して、第２の直径を含む、請求項５に記載のサブアセンブリ。
【請求項７】
前記第２の直径が、前記第１の直径とほぼ同等であるが、わずかに下回る、請求項６に記載のサブアセンブリ。
【請求項８】
前記第１の直径及び前記第２の直径のうちのいずれか１つ、又はそれら両方が、スタンドパイプの直径とほぼ同等である、請求項６に記載のサブアセンブリ。
【請求項９】
シール部材に連結されるエンドキャップを含むサブアセンブリであって、前記エンドキャップが、主部と、前記主部の第１の端に連結される外周リップと、前記主部の第２の端に連結される内周リップと、を含み、前記エンドキャップの前記内周リップが、前記主部の上面から離れて、且つそれを越えて延びる上部と、前記主部の底面から離れて、且つそれを越えて延びる下部と、を含み、前記シール部材が、主部と、前記シール部材の前記主部に連結される円周リップと、を含み、前記シール部材の前記主部が、上面及び底面を含み、前記シール部材の前記主部の前記上面が、凹部を含み、前記エンドキャップの前記内周リップによって形成される前記下部が、前記凹部内に配置される、サブアセンブリと、
前記サブアセンブリに連結されるフィルタ媒体であって、当該フィルタ媒体が、上端面と第２又は下端面間との間に延びる主部を含み、当該フィルタ媒体の前記主部の一部分が、前記シール部材の前記主部の厚みの少なくとも一部分に延びる、フィルタ媒体と、
を備えることを特徴とするフィルタアセンブリの一部分。
【請求項１０】
前記フィルタ媒体の前記一部分が、前記フィルタ媒体の前記主部の長さの一部分を含み、前記フィルタ媒体の前記主部の前記長さの前記一部分が、前記シール部材の前記主部の前記厚さとほぼ同等である、請求項９に記載のフィルタアセンブリの一部分。
【請求項１１】
前記シール部材を前記エンドキャップに連結するために、金型ツールを利用する前に、前記エンドキャップを前記金型ツール構成要素の上に位置決めするための手段を更に備える、請求項９に記載のフィルタアセンブリの一部分。
【請求項１２】
前記手段が、前記金型ツール構成要素の金型表面に形成される溝と整合する位置決めリブを提供する、前記内周リップの前記上部を含む、請求項１１に記載のフィルタアセンブリの一部分。
【請求項１３】
前記シール部材の前記主部の前記上面が、
前記第１又は上部のエンドキャップにおける前記主部の前記底面、及び前記外周リップの内面に隣接して配置される、第１の部分と、
前記第１の部分に直接連結され、且つ前記第１の部分から離れて延び、前記エンドキャップの前記底面のどこにも隣接して配置されない、第２の部分と、を含む、請求項９に記載のフィルタアセンブリの一部分。
【請求項１４】
前記シール部材の前記円周リップが、
外面と、
内面と、を含み、前記シール部材の前記円周リップの前記内面が、前記シール部材を通って延びる通路を形成する、
請求項９に記載のフィルタアセンブリの一部分。
【請求項１５】
前記シール部材の前記円周リップの前記内面が、
第１の半径方向表面部分と、
第２の半径方向表面部分と、
前記第１の半径方向表面部分を第２の半径方向表面部分に連結する軸方向レッジ表面部分と、を含み、前記第１の半径方向表面部分が、前記シール部材を通って延びる前記通路を形成して、第１の直径を含み、前記第２の半径方向表面部分が、前記シール部材を通って延びる前記通路を形成して、第２の直径を含む、請求項１４に記載のフィルタアセンブリの一部分。
【請求項１６】
前記第２の直径が、前記第１の直径とほぼ同等であるが、わずかに下回る、請求項１５に記載のフィルタアセンブリの一部分。
【請求項１７】
前記第１の直径及び前記第２の直径のうちのいずれか１つ又はそれら両方が、スタンドパイプの直径とほぼ同等である、請求項１５に記載のフィルタアセンブリの一部分。
【請求項１８】
フィルタアセンブリの少なくともサブアセンブリを製造するための方法であって、前記サブアセンブリが、エンドキャップと、シール部材と、を含み、前記エンドキャップが、主部と、前記主部の第１の端に連結される外周リップと、前記主部の第２の端に連結される内周リップと、を含み、前記主部が、上面及び底面を含み、前記円周リップが、前記主部の前記上面から離れて、且つそれを越えて延びる上部を含み、
前記方法が、
表面に形成される溝を含む第１の表面部分と、表面に形成される空洞を含む第２の表面部分と、を有する表面を含む金型ツール構成要素を用意するステップと、
前記エンドキャップの前記円周リップの上部を前記金型ツール構成要素の前記表面に形成される前記溝内にレジスタするステップと、
前記エンドキャップの前記底面及び前記金型ツール構成要素の前記第２の表面部分を含む材料受け入れ面を提供するために、前記金型ツール構成要素の第１の表面部分に実質的に隣接した前記エンドキャップの前記上面を配置するステップと、
前記シール部材を形成するために、材料を前記材料受け入れ面上に沈着させるステップと、
を含むことを特徴とする方法。
【請求項１９】
前記エンドキャップを前記シール部材に化学的に接着させるために前記材料を硬化するステップと、
前記金型ツール構成要素から前記サブアセンブリを除去するステップと、
を更に含む、請求項１８に記載の方法。
【請求項２０】
前記エンドキャップが、前記主部の前記底面から離れて、且つそれを越えて延びる下部を更に含み、前記底面の上及び前記下部にわたって前記材料を沈着させた後に、前記材料が、前記エンドキャップを前記シール部材に摩擦接着させるために、前記下部の形状と一致する凹部を形成する、請求項１８に記載の方法。
【請求項２１】
前記エンドキャップを前記シール部材に化学的に接着させるために、前記材料を硬化するステップを更に含む、請求項２０に記載の方法。
【請求項２２】
前記シール部材の主部を形成する前記材料の厚みの少なくとも一部分の中にフィルタ媒体の主部の一部分を配置して、前記材料を前記フィルタ媒体の前記主部の前記一部分に流入及び含浸させ、前記フィルタ媒体を前記サブアセンブリと連結させて、前記フィルタアセンブリの一部分を形成するステップを更に含む、請求項１８に記載の方法。
【請求項２３】
前記フィルタ媒体を前記シール部材に化学的に接着させるだけでなく、前記エンドキャップを前記シール部材に化学的に接着させるために、前記材料を硬化することと、
前記金型ツール構成要素から前記フィルタアセンブリの前記一部分を除去することと、
を更に含む、請求項２２に記載の方法。
【請求項２４】
フィルタアセンブリの少なくとも一部分を製造するための方法であって、前記サブアセンブリが、エンドキャップと、シール部材と、を含み、前記エンドキャップが、主部と、前記主部の第１の端に連結される外周リップと、前記主部の第２の端に連結される内周リップと、を含み、前記主部が、上面及び底面を含み、前記円周リップが、前記主部の前記上面から離れて、且つそれを越えて延びる上部を含み、
前記方法が、
表面に形成される溝を含む第１の表面部分と、表面に形成される空洞を含む第２の表面部分と、を有する表面を含む金型ツール構成要素を用意するステップと、
前記エンドキャップの前記円周リップの上部を前記金型ツール構成要素の前記表面に形成される前記溝内にレジスタするステップと、
前記エンドキャップの前記底面及び前記金型ツール構成要素の前記第２の表面部分を含む材料受け入れ面を提供するために、前記金型ツール構成要素の第１の表面部分に実質的に隣接した前記エンドキャップの前記上面を配置するステップと、
前記エンドキャップの前記底面に実質的に隣接したフィルタ媒体の主部の一部分を配置するステップと、
を含み、
前記フィルタ媒体の前記主部の長さの一部分は、前記エンドキャップの前記外周リップの略長さにほぼ等しく、
前記シール部材を形成するために前記材料受け表面上に前記材料を沈着させるステップを更に含み、
前記材料は、前記フィルタ媒体の前記主部の前記一部分に流入及び含浸することを特徴とする方法。
【請求項２５】
前記エンドキャップを前記シール部材に化学的に接着させるために前記材料を硬化して、前記フィルタアセンブリの前記サブアセンブリを作成するステップを更に含む、請求項２４に記載の方法。
【請求項２６】
前記エンドキャップが、前記主部の前記底面から離れて、且つそれを越えて延びる下部を更に含み、前記底面の上及び前記下部にわたって前記材料を沈着させた後に、前記材料が、前記エンドキャップを前記シール部材に摩擦接着させるために、前記下部の形状と一致する凹部を形成する、請求項２４に記載の方法。
【請求項２７】
前記エンドキャップを前記シール部材に化学的に接着させるために、前記材料を硬化するステップを更に含む、請求項２６に記載の方法。
【請求項２８】
前記フィルタ媒体を前記シール部材に化学的に接着させるだけでなく、前記エンドキャップを前記シール部材に化学的に接着させるために、前記材料を硬化するステップと、
前記金型ツール構成要素から前記フィルタアセンブリの前記一部分を除去するステップと、
を更に含む、請求項２４に記載の方法。
【発明の詳細な説明】
【技術分野】
【０００１】
本発明は、フィルタに関する。
【背景技術】
【０００２】
流体が流体通路を通過する際に流体を濾過する様々なフィルタが、当技術で既知である。フィルタは、例えば、フィルタ媒体を通過する油又は燃料といった流体から不純物を除去するフィルタ媒体を部分的に含む。
【発明の概要】
【発明が解決しようとする課題】
【０００３】
多くの適用において、フィルタまたはフィルタに関連したフィルタ媒体のいずれかは、流体経路の流量制限において 受け入れ難いほどに高いインピーダンスが発生する可能性を低減させるために、定期的に交換されなければならない。
【０００４】
既知のフィルタが様々な適用に受け入れられ得ることが証明されているが、それにもかかわらず、そのような従来のフィルタは、それらの全体的な性能及び費用を向上し得る改良の影響を受けやすい。したがって、当技術を進歩させる改良されたフィルタを開発する必要がある。
本開示は、ここで、添付の図面を参照して、一例として説明される。
【図面の簡単な説明】
【０００５】
【図１Ａ】本発明の例示的な実施態様に従う、フィルタアセンブリの組立て部分的側断面図である。
【図１Ｂ】図１Ａのフィルタアセンブリの分解側断面図である。
【図２Ａ】金型ツール構成要素の上部に配置された図１Ａ〜１Ｂのエンドキャップとフィルタアセンブリのフィルタ媒体の部分的斜視分解図である。
【図２Ｂ】図２Ａの金型ツール構成要素に隣接して配置された図２Ａのエンドキャップとフィルタ媒体の一部分の別の部分的斜視図である。
【図２Ｃ】図２Ａの金型ツール構成要素の上部に配置されたエンドキャップ、フィルタ媒体、及びシール部材を含む、図２Ａのフィルタアセンブリの一部分の分解透視組立図である。
【図３Ａ】本発明の例示的な実施態様に従う、図２Ａの線３Ａ−３Ａに従うエンドキャップの断面図である。
【図３Ｂ】図３Ａの線３Ｂに従うエンドキャップの拡大断面図である。
【図４Ａ】本発明の例示的な実施態様に従う、図１Ａ〜１Ｂのフィルタアセンブリのシール部材の断面図である。
【図４Ｂ】図４Ａの線４Ｂに従うエンドキャップの拡大断面図である。
【図５】本発明の例示的な実施態様に従う、図２Ａの線５−５に従う金型ツール構成要素の断面図である。
【図６Ａ】本発明の例示的な実施態様に従う、図５の金型ツール構成要素に隣接して配置された図３Ａのエンドキャップの断面図を例示する。
【図６Ｂ】本発明の例示的な実施態様に従う、エンドキャップの一部分と金型ツール構成要素に沈着させた材料を示す図６Ａの金型ツール構成要素に隣接して配置されたエンドキャップの断面図を例示する。
【図６Ｃ】本発明の例示的な実施態様に従う、シール部材を形成するための図６Ｂのエンドキャップの一部分と金型ツール構成要素に沈着させた材料とともに金型ツール構成要素に隣接して配置されたエンドキャップの断面図を例示する。
【図７Ａ】本発明の例示的な実施態様に従う、図６Ｃのシール部材を形成するための材料を含む金型ツール構成要素の上方に配置された図１Ａ〜２Ａのフィルタ媒体の部分的断面図である。
【図７Ｂ】本発明の例示的な実施態様に従う、図７Ａのシール部材を形成する材料の中に配置されたフィルタ媒体の一部分を含む、図２Ｂの線７Ｂ−７Ｂに従う断面図である。
【図７Ｃ】本発明の例示的な実施態様に従う、金型ツール構成要素から除去したシール部材を形成する材料によって、エンドキャップに接続されるフィルタ媒体を含むフィルタアセンブリの一部分を含む、図２Ｃの線７Ｃ−７Ｃに従う断面図である。
【発明を実施するための形態】
【０００６】
図面は、本発明の例示的な実施態様による一体化シールを備えたフィルタエンドキャップ、フィルタアセンブリ、及びそれらの製造方法を例示し、前述の図面に基づいて、本明細書で使用される用語が、単に便宜上使用され、且つ本発明を説明するために使用される用語が、当業者によって広範な意味を付与されるべきであることを一般に理解されたい。
【０００７】
図１Ａ〜１Ｂを参照して、本発明の例示的な実施態様によるフィルタアセンブリは、概して、１０で示される。フィルタアセンブリ１０は、フィルタ媒体１２、第１又は上部エンドキャップキャップ１４ａ、第２又は下部エンドキャップ１４ｂ、及びシール部材１６を含む。
【０００８】
以下の開示で説明されるように、第１又は上部エンドキャップ１４ａ及びシール部材１６は、フィルタアセンブリ１０のサブアセンブリ１００（例えば、図１Ｂ、図６Ｃ、図７Ａを参照）を形成してもよい。フィルタ媒体１２のサブアセンブリ１００へのその後の取り付けは、フィルタアセンブリ１０の一部分１０ａを形成（例えば、図１Ｂ、図２Ｂ〜２Ｃ、図７Ａ〜７Ｃを参照）してもよい。図１Ｂを参照して、第２又は下部エンドキャップ１４ｂは、フィルタアセンブリ１０を形成するための一部分１０ａに（例えば、粘着剤、埋め込み用樹脂等の取り付け材料Ａを用いて）取り付けられてもよい。
【０００９】
図１Ａ〜１Ｂを参照して、フィルタ媒体１２は、主部１８を含んでもよい。主部１８は、外面２０、内面２２、第１又は上端面２４及び第２又は下端面２６を含む。主部１８は、例えば、リング状、円筒上、筒状等の任意の望ましい形状又は形を含んでもよい。
【００１０】
内面２２は、主部１８を通って延在する通路２８を形成する。第１又は上端面２４は、主部１８内に第１又は上部開口部３０を形成する。第２又は下端面２６は、主部１８内に第２又は下部開口部３２ａを形成する。第１又は上部開口部３０ａ及び第２又は下部開口部３２ａは、それぞれ通路２８にアクセスを提供する。
【００１１】
第２又は下部エンドキャップ１４ｂは、外周リップ３６と内周リップ３８に接続される主部３４を含んでもよい。主部３４は、上面４０及び底面４２を含む。外周リップ３６は、外面４４と内面４６を含む。内周リップ３８は、外面４８と内面５０を含む。第２又は下部エンドキャップ１４ｂの内周リップ３８の外面４８は、開口部３２ｂを形成する。
【００１２】
フィルタ媒体１２の主部１８中の第２又は下部開口部３２ａ及び第２又は下部エンドキャップ１４ｂの開口部３２ｂは、開口部３２ａ及び３２ｂの両方が、フィルタ媒体１２の主部１８を通って延在する通路２８へのアクセスを提供することにおいて、同一である。したがって、開口部３２ａ及び３２ｂは、下部開口部３２と包括的に称され得る（例えば、図１Ａを参照）。
【００１３】
第２又は下部エンドキャップ１４ｂの主部３４の上面４０は、フィルタ媒体１２の第２又は下端面２６に実質的に隣接して配置され、それに接続されてもよい。第２又は下部エンドキャップ１４ｂの主部３４の上面４０は、例えば、接着剤、埋め込み用樹脂等の任意の望ましい取り付け材料Ａを用いて、フィルタ媒体１２の第２又は下端面２６に接続されてもよい。
【００１４】
第２又は下部エンドキャップ１４ｂの外周リップ３６の内面４６は、フィルタ媒体１２の外面２０と離間した関係にあり得る。あるいは、第２又は下部エンドキャップ１４ｂの外周リップ３６の内面４６は、フィルタ媒体１２の外面２０と隣接した関係にあり得る。
【００１５】
第２又は下部エンドキャップ１４ｂの内周リップ３８の内面５０は、フィルタ媒体１２の内面２２と離間した関係にあり得る。あるいは、第２又は下部エンドキャップ１４ｂの内周リップ３８の内面５０は、フィルタ媒体１２の内面２２と隣接した関係にあり得る。
【００１６】
図１Ａ〜１Ｂ、図３Ａを参照して、第１又は上部エンドキャップ１４ａが図示されている。図１Ａ〜１Ｂは、第１又は上部エンドキャップ１４ａの「右側方を上にした」図として示すことができる一方で、図３Ａは、第１又は上部エンドキャップ１４ａの「上下を逆にした」図として示すことができる。したがって、例えば「上部」、「頂部」、「底部」といった用語を第１又は上部エンドキャップ１４ａの特徴を説明するために使用する場合、図１Ａ〜１Ｂの「右側方を上にした」図が、第１又は上部エンドキャップ１４ａの特徴を説明するための基準フレームとして使用されるが、図３Ａを参照する場合、「上部」、「頂部」、「底部」（図１Ａ〜１Ｂの記載から）の用語の使用は一貫性を維持する。したがって、前述に基づいて、本発明を説明するために本明細書で使用する用語は、単に便宜上使用するものであり、本発明を説明するために使用する用語（例えば、「上部」、「頂部」、「底部」等）は、当業者によって広範な意味を付与されるべきであることが喚起される。
【００１７】
図１Ａ〜１Ｂ、図３Ａを参照して、第１又は上部エンドキャップ１４ａは、外周リップ５４と内周リップ５６に接続される主部５２を含んでもよい。主部５２は、上面５８及び底面６０を含む。外周リップ５４は、外面６２と内面６４を含む。
【００１８】
また、図３Ｂに示すように、内周リップ５６は、内面６６と外面６８を含む。第１又は上部エンドキャップ１４ａの内周リップ５４の外面６８は、上部開口部３０ｂを形成する。
【００１９】
フィルタ媒体１２の主部１８における第１又は上部開口部３０ａ及び第１又は上部エンドキャップ１４ａの開口部３０ｂ は、開口部３０ａ及び３０ｂの両方が、主部１８を通って延在する通路２８へのアクセスを提供することにおいて、同一である。したがって、開口部３０ａ及び３０ｂは、上部開口部３０と包括的に称され得る（例えば、図１Ａを参照）。
【００２０】
第１又は上部エンドキャップ１４ａの外周リップ５４の内面６４は、フィルタ媒体１２の外面２０と離間した関係にあり得る。あるいは、第１又は上部エンドキャップ１４の外周リップ５４の内面６４は、フィルタ媒体１２の外面２０と隣接した関係にあり得る。
【００２１】
第１又は上部エンドキャップ１４ａの内周リップ５６の内面６６は、フィルタ媒体１２の内面２２と離間した関係にあり得る。あるいは、第１又は上部エンドキャップ１４ａの内周リップ５６の内面６６は、フィルタ媒体１２の内面２２と隣接した関係にあり得る。
【００２２】
図３Ｂを参照して、内周リップ５６の第１又は上部５６ａは、第１又は上部エンドキャップ１４ａの主部５２の上面５８から離れて、且つそれを越えて延在してもよい。内周リップ５６の第２又は下部５６ｂは、第１又は上部エンドキャップ１４ａの主部５２の底面６０から離れて、且つそれを越えて延在してもよい。
【００２３】
図６Ａにおいて以下の開示で説明されるように、内周リップ５６の第１又は上部５６ａは、金型ツール構成要素（例えば、図２Ａ〜２Ｃ、図５の２００を参照）と連結する上面部分７０（例えば、図３Ｂを参照）を有する雄部又は位置決めリブを形成してもよい。雄部又は位置決めリブ５６ａは、金型ツール構成要素２００によって形成される雌部、溝又は凹部（例えば、２０４を参照）と連結する。したがって、金型ツール構成要素２００の中に形成される雌部又は凹部２０４内の内周リップ５６によって形成される雄部又は位置決めリブ５６ａを配置すると、第１又は上部エンドキャップ１４ａは、例えば、第１又は上部エンドキャップ１４ａへ／上に、オーバーモールド成形したシール部材１６を含む複数のサブアセンブリ１００の形成（例えば、オーバーモールド成形）の正確な再現可能性を保証するために、金型ツール構成要素２００上に制御して位置決め（例えば、中央に配置）してもよい。
【００２４】
更に、以下の開示に記載されるように、内周リップ５６の第２又は下部５６ｂは、シール部材１６（例えば、図１Ａ、図１Ｂ、図６Ｃ、図７Ａ〜７Ｃに図示）中に延在する突刺又は爪を形成してもよい。シール部材１６が第１又は上部エンドキャップ１４ａを越えて形成された後（例えば、図６Ｃ〜７Ｃを参照）、突刺又は爪５６ｂは、突刺又は爪５６ｂがシール部材１６と直接、物理的接触することの結果として、シール部材１６と係合してもよい。したがって、シール部材１６の硬化（即ち、実質的に流体又は半固体の状態から、実質的に固体の状態に移行すること）すると、シール部材１６は、第１又は上部エンドキャップ１４ａと化学的に結合されると言えるだけでなく、シール部材１６は、シール部材１６中に延在する突刺又は爪５６ｂと物理的接触することの結果として、第１又は上部エンドキャップ１４ａに摩擦的に接着されるとも言える。
【００２５】
したがって、例えば、埋め込み用樹脂又は接着剤等の取り付け材料Ａを用いた、第２又は下部エンドキャップ１４ｂの主部３４の上面４０のフィルタ媒体１２への接続とは異なり、第１又は上部エンドキャップ１４ａの主部５２の底面６０は、シール部材１６の形成（例えば、オーバーモールド）中にフィルタ媒体１２に接続されてもよい。結果として、第１又は上部エンドキャップ１４ａをフィルタ媒体１２と接続するために、例えば、埋め込み用樹脂又は接着剤等の取り付け材料Ａの使用を回避し得るが、これは、上部エンドキャップ１４ａが、シール部材１６を構成する材料Ｍが粘着性を有し、未硬化、流体、半固体又は溶融状態であること（例えば、図５Ｂ〜６Ｂを参照）を活用及び利用することができるためであり、したがって、シール部材１６を形成する材料Ｍを利用して、第１又は上部エンドキャップ１４ａをフィルタ媒体１２に取り付けることができる（例えば、図６Ａ〜６Ｂを参照）。
【００２６】
図１Ａ〜１Ｂ、図４Ａを参照して、シール部材１６は、外周リップ７４に接続した主部７２を含んでもよい。主部７２は、上面７６、底面７８及び上面７６を底面７８に接続する外側面８０を含む。外周リップ７４は、外面８２及び内面８４を含む。
【００２７】
上面７６は、雌部又は凹部８６を含む。雌部又は凹部８６は、第１又は上部エンドキャップ１４ａの内周リップ５６の突刺又は爪５６ｂの形状に実質的に一致し得、これらを受容し得る。
【００２８】
図４Ａを参照して、シール部材１６の主部７２の上面７６の第１の部分７６ａは、第１又は上部エンドキャップ１４ａの主部５２の底面６０に隣接して配置されてもよい。シール部材１６の主部７２の上面７６の残存又は第２の部分７６ｂは、第１又は上部エンドキャップ１４ａのいずれの部分にも隣接して配置されず（例えば、図１Ａ〜１Ｂに参照されるように）、むしろ、雰囲気にさらされる。シール部材１６の主部７２の上面７６の第２の部分７６ｂは、シール部材１６の円周リップ７４の外面８２を形成するために、円弧状に第１の部分７６ａ及びテーパーに隣接し、それらから延在する。図１Ａ〜１Ｂを参照して、シール部材１６の主部７２の外側面８０は、第１又は上部エンドキャップ１４ａの外周リップ５４の内面６４と隣接して配置されてもよい。
【００２９】
シール部材１６の外周リップ７４の内面８４は、通路８８を形成する。シール部材１６の円周リップ７４の内面８４によって形成される通路８８は、第１又は上部開口部３０を経由して、主部１８の内面２２によって形成される通路２８と連通する。
【００３０】
図１Ａ〜１Ｂ、図４Ａ〜４Ｂを参照して、シール部材１６の円周リップ７４の内面８４は、第１の半径方向表面部分８４ａ、第２の半径方向表面部分８４ｂ、及び第１の半径方向表面部分８４ａを第２の半径方向表面部分８４ｂに接続する軸方向レッジ表面部分８４ｃを含んでもよい。内面８４の第１の半径方向表面部分８４ａは、第１の直径Ｄ88-1を含めるために、シール部材１６の円周リップ７４の通路８８を形成する。内面８４の第２の半径方向表面部分８４ｂは、第２の直径Ｄ88-2を含めるために、シール部材１６の円周リップ７４の通路８８を形成する。シール部材１６の円周リップ７４の通路８８の第２の直径Ｄ88-2は、シール部材１６の円周リップ７４の通路８８の第１の直径Ｄ88-1とほぼ同じか、わずかに下回る。
【００３１】
シール部材１６の円周リップ７４の内面８４の第２の半径方向表面部分８４ｂによって形成される通路８８の第２の直径Ｄ88-2は（例えば、図４Ａを参照）、シール部材１６の円周リップ７４の内面８４によって形成される通路８８を通して挿入することになる部材ＳＰとほぼ同等であるか、わずかに下回ってよい。ある実施態様においては、部材ＳＰは、スタンドパイプを含んでもよい。したがって、シール部材１６は、「スタンドパイプシール」と称され得る。
【００３２】
図４Ａを参照して、シール部材１６の主部７２は、厚さＴ72を含んでもよい。厚さＴ72は、シール部材１６の上面７６と底面７８との間に延在してもよい。シール部材１６の主部７２の厚さＴ72は、第１又は上部エンドキャップ１４ａの外周リップ５４の長さＬ54（例えば、図３Ａを参照）とほぼ同等であるか、わずかに下回ってよい。
【００３３】
図１Ａ〜１Ｂを参照して、フィルタ媒体１２の主部１８の一部分１２ａは、シール部材１６の主部７２の厚さＴ72の少なくとも一部分又は実質的に全ての中に延在してもよい。フィルタ媒体１２の主部１８の一部分１２ａは、フィルタ媒体１２の主部１８の凡その長さＬ12（例えば、図１Ｂを参照）の一部分Ｌ12A（例えば、図１Ｂを参照）を含んでもよい。したがって、フィルタ媒体１２の主部１８の長さＬ12の一部分Ｌ12Aは、シール部材１６の主部７２の厚さＴ72とほぼ等しくてよい。フィルタ媒体１２の主部１８の長さＬ12の一部分Ｌ12Aは、第１又は上部エンドキャップ１４ａの外周リップ５４の凡その長さＬ54とほぼ同等である。図７Ｂ〜７Ｃを参照して、フィルタ媒体１２の主部の部分１２ａは、シール部材１６を形成する材料Ｍを硬化（即ち、実質的に流体状態から固体状態に移行すること）に先立って、シール部材１６の主部７２中に延在してもよい。
【００３４】
図２Ａ、図５を参照して、本発明の実施態様による金型ツール構成要素は、概して２００に示される。図５を参照して、金型ツール構成要素２００は、第１表面部分２０２ａと第２表面部分２０２ｂを有する表面２０２を含む。
【００３５】
図６Ａに示すように、第１表面部分２０２ａは、第１表面部分２０２ａに隣接して配置される、第１又は上部エンドキャップ１４ａの１つ以上の表面を指示する支持面を提供してもよい。第１表面部分２０２ａに隣接して配置される、第１又は上部エンドキャップ１４ａの１つ以上の表面は、主部５２の上面５８、１つ以上の外面６６、内周リップ５６の第１又は上部５６ａの内面６８及び上面部分７０を含んでもよい。
【００３６】
図６Ｂを参照して、第２表面部分２０２ｂは、シール部材１６の１つ以上の表面部分を形成する材料Ｍを受ける面を提供してもよい。第２表面部分２０２ｂによって形成されるシール部材１６の１つ以上の表面部分は、シール部材１６の主部７２の上面７６の第２の部分７６ｂ並びにシール部材１６の円周リップ７４の外面８２及び内面８４（第１の半径方向表面部分８４ａ、第２の半径方向表面部分８４ｂ及び軸方向レッジ面部分８４Ｃを含む）を含んでもよい。
【００３７】
図６Ａを参照して、第２表面部分２０２ｂによって形成されない、シール部材１６の残存の面部分は、第１又は上部エンドキャップ１４ａの１つ以上の表面部分によって形成されてもよい。第１又は上部エンドキャップ１４ａの１つ以上の表面部分によって形成される、シール部材１６の残存の面部分は、シール部材１６の主部７２の上面７６の第１の部分７６ａ（第１又は上部エンドキャップ１４ａの主部５２の底面６０に隣接して配置）及びシール部材１６の主部７２の外側表面８０（第１又は上部エンドキャップ１４ａの外周リップ５４の内面６４）を含んでもよい。したがって、第１又は上部エンドキャップ１４ａの主部５２の底面６０及び第１又は上部エンドキャップ１４ａの外周リップ５４の内面６４は、材料Ｍを受けて、シール部材１６を形成する成形表面を形成又は提供するために金型ツール構成要素２００の第２表面部分２０２ｂと連携してもよい。
【００３８】
図５、図６Ａを参照して、第１表面部分２０２ａは、雌部又は凹部２０４を形成してもよい。上述するように、雌部又は凹部２０４は、例えば、第１又は上部エンドキャップ１４ａのシール部材でオーバーモールド成形されたシール部材１６を含む複数のサブアセンブリ１００の形成の正確な再現可能性を保証するために、金型ツール構成要素２００上に第１又は上部エンドキャップ１４ａの位置決めを補助する、第１又は上部エンドキャップ１４ａの雄部又は位置決めリブ５６ａに対応する。
【００３９】
第２表面部分２０２ｂは、空洞２０６を形成してもよい。空洞２０６は、例えば、シール部材１６の主部７２の上面７６の第２の部分７６ｂ、並びにシール部材１６の円周リップ７４の外面８２及び内面８４（第１の半径方向表面部分８４ａ、第２の半径方向表面部分８４ｂ及び軸方向レッジ面部分８４Ｃを含む）を含むシール部材１６の１つ以上の表面を形成するために相当量の材料Ｍを受けるための表面幾何形状（例えば、放射状且つ外方に広がる又は細くなる壁部を含む周面又はリング形状を含む）を含んでもよい。
【００４０】
図６Ａ〜６Ｃを参照して、本発明の実施態様に従って、サブアセンブリ１００を形成する方法が説明される。また、図６Ａ〜７Ｃに示すように、サブアセンブリ１００とフィルタ媒体１２を含むフィルタアセンブリ１０の一部分１０ａを形成する方法は、本発明の実施態様に従って説明される。
【００４１】
図６Ａに示すように、第１又は上部エンドキャップ１４ａは、金型ツール構成要素２００の面２０２の第１表面部分２０２ａと隣接して配置されてもよい。第１又は上部エンドキャップ１４ａを金型ツール構成要素２００の面２０２の第１表面部分２０２ａに隣接して配置することは、金型ツール構成要素２００の面２０２の第１表面部分２０２ａ内の雌部又は凹部２０４内に、第１又は上部エンドキャップ１４ａの雄部又は位置決めリブ５６ａをレジスタすることを含んでもよい。
【００４２】
図６Ｂを参照して、金型ツール構成要素２００の第１表面部分２０２ａに隣接して第１又は上部エンドキャップ１４を配置した後に、押出機２０８は、第１又は上部エンドキャップ１４ａの主部５２の金型ツール構成要素２００及び底面６０の第２表面部分２０２ｂ上、及び第１又は上部エンドキャップ１４ａの外周リップ５４の内面６４上に相当量の材料Ｍを沈着してもよい。押出機２０８は、材料Ｍを含有する供給、ホッパー又は貯蔵器２１０と連通してもよい。材料Ｍは、例えば、ポリ原料等の望ましい材料を含んでもよい。
【００４３】
押出機２０８は、貯蔵器２１０から、押出機２０８を介して、金型ツール構成要素２００の第２表面部分２０２ｂ上、並びに第１又は上部エンドキャップ１４ａの主部５２の底面６０及び第１又は上部エンドキャップ１４ａの外周リップ５４の内面６４上に、材料Ｍの流入を可能又は拒否するために、押出機２０８と連動して、バルブ（図示せず）を解除／作動するための制御器２１２と連携してもよい。
【００４４】
図６Ｂに示すように、材料Ｍは、実質的に流体又は半固体の形態で沈着させる。材料Ｍに流入すると、材料Ｍは、例えば、金型ツール構成要素２００の第２表面部分２０２ｂ、並びに第１又は上部エンドキャップ１４ａの主部５２の底面６０及び第１又は上部エンドキャップ１４ａの外周リップ５４の内面６４によって画定される、成形表面幾何形状に合致する。
【００４５】
図６Ｃを参照して、相当量の材料Ｍが一旦金型ツール構成要素２００の第２表面部分２０２ｂ上、並びに第１又は上部エンドキャップ１４ａの主部５２の底面６０及び第１又は上部エンドキャップ１４ａの外周リップ５４の内面６４上に沈着すると、押出機２０８からの材料Ｍの流入を停止してもよい。押出機２０８からの材料Ｍの流入の停止は、制御器２１２から押出機２０８へ送信される信号に応答して行われてもよい。
【００４６】
図６Ｃを参照して、材料Ｍが凝固すると（例えば、材料Ｍの硬化の結果として）、シール部材１６を形成してもよく、サブアセンブリ１００を形成するために、第１又は上部エンドキャップ１４ａと化学的に接着してもよい。サブアセンブリ１００は、必要に応じて金型ツール構成要素２００から除去してもよく、その後に、例えば、接着剤、埋め込み用樹脂等を用いて、例えばフィルタ媒体１２等のフィルタ媒体に取り付けられてもよい。しかしながら、材料Ｍの流体又は半固体状態は、フィルタアセンブリ１０の一部分１０ａを形成するために、第１又は上部エンドキャップ１４ａをフィルタ媒体１２に接合するための担体として、シール部材１６を形成する材料Ｍを使用するために、有利に活用してよい。
【００４７】
図６Ａ〜６Ｃに記載されるように、材料Ｍの沈着前、沈着間、又は沈着後に、フィルタ媒体１２は、１つ以上の第１又は上部エンドキャップ１４ａ又は材料Ｍ上に配置されてもよい。図７Ａ〜７Ｂを参照して、本発明の実施態様に従って、材料Ｍの硬化前に、フィルタ媒体１２の主部１８の一部分１２ａは、シール部材１６を形成する材料Ｍの厚さＴ72上に配置及び挿入されてもよい。
【００４８】
フィルタ媒体１２を材料Ｍの厚さＴ72に挿入すると、材料Ｍは、フィルタ媒体１２の主部１８の一部分１２ａに流入および含浸してもよい。その後、材料Ｍは硬化し得、結果として、材料Ｍは、シール部材１６を形成し得る一方で、フィルタ媒体１２を第１又は上部エンドキャップ１４ａにも化学的に接着するために使用される。材料Ｍが硬化すると、第１又は上部エンドキャップ１４ａとともに、一体化して形成（例えば、オーバーモールド成形又は上部成形）されたシール部材１６とともに、フィルタ媒体１２は、金型ツール構成要素２００から除去（例えば、図７Ｃを参照）される。
【００４９】
図７Ａ〜７Ｃに記載されるフィルタ媒体１２、第１又は上部エンドキャップ１４ａ、及びシール部材１６の接続は、フィルタアセンブリ１０の一部分１０ａの形成をもたらし得る。第２又は下部エンドキャップ１４ｂを一部分１０ａにその後に取り付けると、フィルタアセンブリ１０が形成されると考えられ得る。しかしながら、ある実施態様においては、第２又は下部エンドキャップ１４ｂは、フィルタ媒体１２がサブアセンブリ１００に取り付けられる前に、フィルタ媒体１２に取り付けられてもよく、したがって、フィルタ媒体１２をサブアセンブリ１００に取り付けた後、第２又は下部エンドキャップ１４ｂがフィルタ媒体１２に事前に取り付けられた場合に、フィルタアセンブリ１０が形成されると考えられ得る。
【００５０】
本発明は、特定の例示的実施態様を参照して説明されている。しかしながら、上述の例示の実施態様の形態以外の特定の形態において、本発明を具現化することができることは、当業者には容易に明らかであろう。これは、本発明の精神から逸脱することなく行われ得る。これらの実施態様は、単に例示目的にすぎず、いかなる場合も限定的と解釈されるべきではない。本発明の範囲は、前述の説明ではなく、添付の特許請求の範囲及びそれらの等価物によって定義される。
【図１Ａ】
2014522763.tif 000003
【図１Ｂ】
2014522763.tif 000004
【図２Ａ】
2014522763.tif 000005
【図２Ｂ】
2014522763.tif 000006
【図２Ｃ】
2014522763.tif 000007
【図３Ａ】
2014522763.tif 000008
【図３Ｂ】
2014522763.tif 000009
【図４Ａ】
2014522763.tif 000010
【図４Ｂ】
2014522763.tif 000011
【図５】
2014522763.tif 000012
【図６Ａ】
2014522763.tif 000013
【図６Ｂ】
2014522763.tif 000014
【図６Ｃ】
2014522763.tif 000015
【図７Ａ】
2014522763.tif 000016
【図７Ｂ】
2014522763.tif 000017
【図７Ｃ】
2014522763.tif 000018
【国際調査報告】
2014522763.tif 000019
2014522763.tif 000020